(57)【要約】【課題】高湿高温時などに誤作動して、遮煙部材がエレベータ開口部を閉鎖してしまうことを防止する。【解決手段】煙感知器が煙を感知すると煙感知信号がマイコンに入力され、マイコンでは煙感知信号が所定時間以上継続して入力されているかどうかを判定し、所定時間以上継続して入力されている場合は誤報でないと判定して、モータコイル部に遮煙部材を閉鎖する信号を入力して駆動させ、巻取装置に遮煙部材を駆動させ、マイコンに煙感知信号が所定時間継続して入力されていない場合、誤報であると判定して待機状態となり遮煙部材が駆動しないようにする。【選択図】　図６
2004075257.tif 000002
【特許請求の範囲】
【請求項１】
煙を感知した場合に、エレベータの遮煙部材（１）がエレベータの開口部を閉鎖することにより遮煙を行うエレベータ用遮煙装置において、
煙感知と同時に動作せず、煙感知信号を所定時間以上継続して受信した場合に遮煙部材（１）を駆動させるようにしたことを特徴とするエレベータ用遮煙装置。
【発明の詳細な説明】
【０００１】
【発明の属する技術分野】
本発明は、エレベータ出入り口に備えられるエレベータ用遮煙装置に関する。
【０００２】
【従来の技術】
従来は、エレベータ用遮煙装置はなく、関連する技術として、防火シャッターがある。防火シャッターでは、エレベータ外において煙を感知した場合に、エレベータ出入り口の上部に備えられたシャッターが下降することにより、遮煙を行うようになっていた。この場合、煙感知と同時に動作してシャッターを下降させる。
【０００３】
【発明が解決しようとする課題】
しかしながら、従来の防火シャッターでは、煙感知装置の感知信号が受信されると直ぐにシャッターが下降するようになっているため、高湿高温時に誤作動して、シャッターが下降する場合があり、安全性が確保されないという問題があった。
【０００４】
【課題を解決するための手段】
本発明は、上記のような従来の課題を解決するためのものであり、煙感知と同時に遮煙部材によりエレベータ開口部を閉鎖するのではなく、煙感知信号を所定時間以上継続して受信した後、遮煙部材によりエレベータ開口部を閉鎖するようにしたことにより、誤動作を防止できるエレベータ用遮煙装置を提供することを目的とする。
【０００５】
請求項１記載の発明は、遮煙を行うエレベータ用遮煙装置において、
煙感知と同時に動作せず、煙感知信号を所定時間以上継続して受信した場合に遮煙部材（１）を閉鎖するようにしたことを特徴とするものである。
【０００６】
ここで、遮煙部材とは、遮煙スクリーン、パネル、シャッター等、エレベータ開口部を被覆可能な全ての部材をいう。
また、閉鎖とは、遮煙部材によりエレベータの開口部全面を被覆して煙が流入しないようにすることをいう。例えば、遮煙スクリーンでは、上昇下降するものであれば下降により被覆するような場合、パネル、シャッターでは上下方向又は左右方向に開口部を被覆するような場合等がある。
【０００７】
【発明の実施の形態】
以下、本発明の実施の形態について詳細に説明する。
ここで、図１は、本発明の実施の形態を示す全体構造を示す斜視図であり、図２は、図１の下面から見たハウジングの底面図であり、図３は、巻取装置の断面図である。
【０００８】
本発明の遮煙スクリーンは、スクリーン１を収納するハウジング２が所定間隔をあけて鉛直方向に並設されたレール３の上部に設置されており、内蔵のスクリーン１が鉛直下向きに引き出されるようになっている。レール３は、磁石が付着可能な金属製であり、エレベータの開口部の幅に沿うように取付けられており、スクリーン１の左右両側のレール３と当接する部分には、板状のマグネット４が取付けられて、レール３に対して隙間なく吸着するようになっている。煙感知器５が煙感知信号を所定時間、好ましくは、３〜２０秒以上継続して感知した場合に、その電気信号を制御部１２が受けて、スクリーン１がハウジング２の下面を押し開き、スクリーン１を下降させながら引き出すようになっている。なお、所定時間を３〜２０秒としているのは、３秒より短いと、誤報による誤作動を防止するために不十分であり、２０秒以上とすると、多量の煙の流入の恐れがあるため、好ましくないためである。本実施の形態では、３〜２０秒としているが、さらに、好ましくは、４〜６秒である。これは、４〜６秒程度とすることで、誤作動防止も可能となり、且つエレベータ内に煙を極力流入させることを最小限とすることができるためである。
【０００９】
次に、図２、３により、スクリーン１の上昇及び下降を行う巻取装置６について説明する。巻取装置６は、モータコイル部７と、ハイポイドギア９と、ベアリング１５と、巻取リール８と、図示してないプーリとにより構成されており、モータコイル部７は、商用電源又は電池で動作する。ハイポイドギア９の出力軸１１は、モータコイル部７の出力軸２０に対して垂直になるように配設されており、出力軸１１はモータコイル部７側ケーシング１４内において、ベアリング１５で回転可能に支持されている。出力軸１１の先端側には、巻取リール８が取付けられており、巻取リール８はモータコイル部７の回転方向に応じて、下方のプーリの使用により、スクリーン１の巻取り又は引出しを行う。
【００１０】
図４に、本実施の形態の制御を示すブロック図を、図５に電気回路の全体回路図をそれぞれ示す。
【００１１】
マイコン３４には、煙感知器５からの煙感知信号の他、脱出スイッチ３０、電圧判定回路３２、過電流検知回路３３からの信号がそれぞれ入力され、マイコン３４は、入力された信号に基づいてスクリーン１を開閉させる信号をモータコイル部７に入力する。モータコイル部７は、マイコン３４からの信号に基づいて駆動し、巻取装置６がスクリーン１の巻取り又は引出しの動作を行う。
【００１２】
次に、図６に示すフローチャートに基づいて本実施の形態の動作について説明する。
【００１３】
煙感知器５が煙を感知すると（ステップ１００）、煙感知器ＬＥＤが点灯し（ステップ１１０）、煙感知信号がマイコン３４に入力される。マイコン３４は、煙感知信号が所定時間（約５秒間）以上継続して入力されているかどうかという判定である誤報判定を行い（ステップ１２０）、所定時間（約５秒間）以上継続して入力されている場合は、誤報でないと判定し（すなわち、イエス）、マイコン３４からモータコイル部７にスクリーン１を閉める信号を入力し駆動する（ステップ１３０）。次いで、動作中ＬＥＤが点灯し（ステップ１４０）、巻取装置６がスクリーン１を降下させる（ステップ１５０）。
【００１４】
一方、ステップ１２０において、煙感知信号が所定時間（約５秒間）以上継続して入力されていない場合、誤報であると判定され（すなわち、ノー）、待機状態となる（ステップ１６０）。これによりスクリーン１は下降しない。
【００１５】
【発明の効果】
本発明の請求項１記載のエレベータ用遮煙装置は、煙感知と同時に動作しないで、煙感知信号を所定時間以上継続して受信した場合に遮煙部材によりエレベータ開口部を閉鎖するようにしたことにより、高湿高温時などに誤作動して、遮煙部材が駆動してしまうということを防止することができる。
【図面の簡単な説明】
【図１】本発明の実施の形態を示す全体構造を示す斜視図である。
【図２】図１の下面から見たハウジングの底面図である。
【図３】巻取装置の断面図である。
【図４】本実施の形態の制御を示すブロック図である。
【図５】電気回路の全体回路図である。
【図６】本実施の形態のフローチャートである。
【符号の説明】
１　スクリーン
２　ハウジング
【図１】
2004075257.tif 000003
【図２】
2004075257.tif 000004
【図３】
2004075257.tif 000005
【図４】
2004075257.tif 000006
【図５】
2004075257.tif 000007
【図６】
2004075257.tif 000008